(57)【特許請求の範囲】
【請求項１】
表裏の軟包材から形成される袋状容器の注出口近傍に、ヒートシールによりノズル部を形成し、このノズル部を拡開して内容物の注出を行う注出機能付き袋状容器であって、
前記ノズル部を形成する表側の軟包材及び／又は裏側の軟包材が、前記ノズル部の中心線にほぼ平行に山折り状につままれ、かつ、その頂部につまみ融着部を備え、
前記つまみ融着部が、前記ノズル部の中心線にほぼ平行な一本の線上に不連続状に複数形成されるとともに、
前記ノズル部の基部近傍に、表裏の軟包材を接着する融着部が形成され、
前記融着部が、ノズル部の基部近傍に、当該ノズル部を形成する前記ヒートシールとの間に隙間をとって点状に形成されるとともに、前記ノズル部の中心線を基準としてその片側又は両側の、ノズル基部の膨らみを抑制して前記注出口に作用する閉じる方向の付勢力を小さくし当該注出口の拡開状態を保つ位置に形成されることを特徴とする注出機能付き袋状容器。
【請求項２】
前記融着部が、前記ノズル部の中心線を基準とし、その片側に形成されることを特徴とする請求項１記載の注出機能付き袋状容器。
【請求項３】
前記融着部が、前記ノズル部の中心線を基準とし、その両側に形成されることを特徴とする請求項１記載の注出機能付き袋状容器。
【発明の詳細な説明】
【技術分野】
【０００１】
本発明は、調味料、化粧品、液体洗剤等の内容物を注出するノズル部が形成された注出機能付き袋状容器に関する。
特に、本発明は、洗剤、漂白剤、柔軟剤、洗濯糊、シャンプー、リンス、入浴剤、衣類のシワ取り剤、消臭剤、調味料、スープ、食用油、つゆ・たれ・だし類、ドレッシング、酒類、飲料類、化粧品類、整髪料、エンジンオイル、トランスミッションオイル、ウインドーウォッシャー液、ブレーキフルード、パワーステアリングフルード、ガソリン添加剤、ラジエータ液等のような液体状内容物であって、その動粘度が０．３ｍｍ２／ｓ〜１５，０００ｍｍ２／ｓの範囲のもの、粒状、顆粒状の内容物を他の容器に移し替えて使用する詰め替え用の容器や容器をそのまま本体容器として使用するのに好適な袋状容器に関する。
【背景技術】
【０００２】
近年、食料品や飲料、洗剤、化粧品等の内容物を充填し、店頭に陳列される容器として、パウチ等の袋状容器が多用されている。また、洗剤等の詰め替え用としては、陳列棚等に立てた状態で陳列可能な自立性の袋状容器が広く普及している。
【０００３】
図６は、自立性袋状容器の従来例を示す平面図である。
この袋状容器１０は、樹脂フィルム等の軟包材で形成される胴部１１及び底部１２を備える。胴部１１を形成する表裏の軟包材には、サイドシール１３及びトップシール１５が施され、また、胴部１１を形成する軟包材と、底部１２を形成する軟包材との間には、ボトムシール１４が施されている。
この袋状容器１０に洗剤等の内容物を充填すると、折れ線１２ａで折り畳まれた底部１２が拡がり、袋状容器１０が自立可能となる。
【０００４】
ボトル容器や他の容器に詰め替える調味料、化粧品、液体洗剤等に用いられる袋状容器１０では、内容物を取り出す際に、取り出しが容易で、最後まで安定した流れを保ちながら取り出すことが求められている。
図６に示す袋状容器１０では、斜め上方に突出するノズル部１６が形成され、ノズル部１６の先端部分１９を切取り線１８に沿って切り取ることにより、内容物を注出する注出口が形成される。そして、このノズル部１６を、ボトル容器の口部に挿入すると、袋状容器１０内の内容物をボトル容器に移し替えることが可能になる。
【０００５】
しかしながら、内容物を取り出すために袋状容器１０のノズル部１６側に内容物を移動させると、袋状容器１０のノズル部１６の基部が膨らむと同時に、注出口を閉じる方向に付勢力が作用してノズル部１６の内面を密着させ、内容物の取り出しを困難にするという問題がある。
そこで、ノズル部１６の内面が密着しないように、ノズル部１６の先端から基部に向けて山折り線１７を形成し、内容物がノズル部１６を押し開きながらスムーズに流れ出るように工夫した袋状容器１０が市販されている。
【０００６】
しかしながら、山折り線１７を形成したノズル部１６においても、内容物を取り出す際の注出口の開口断面積が不十分で、最後まで安定した流れを保つことが困難になるという問題がある。
この問題点を、図７を参照しながら説明する。
図７（ａ）は、従来例における注出時の注出口を示す部分拡大斜視図、図７（ｂ）は、図７（ａ）のＩ−Ｉ方向断面図である。
【０００７】
図７（ａ）に示すように、先端部分１９を切取り線１８で切り取って注出口１６ａを開口し、袋状容器１０を傾けて内容物をノズル部１６に送ると、ノズル基部１６ｂが膨らむのに伴い、山折り線１７で連結された注出口１６ａ側には、注出口１６ａを閉じる方向に付勢力が作用する。
つまり、図７（ｂ）に示すように、内容物による圧力Ｐが、袋状容器１０の内部でノズル部１６に向けて作用すると、ノズル基部１６ｂが符号（２）の方向に持ち上げられる一方で、注出口１６ａには符号（１）で示す方向に力が作用し、注出口１６ａの開口断面積が狭められるものと推測できる。
【０００８】
また、上記の山折り線１７は、通常、雄型と雌型を用い、軟包材を雄型と雌型の間でプレスすることにより加工されているため、加工直後は、その形状が保たれるものの、輸送のために袋状容器１０を積み重ね状に箱詰めすると、圧縮力により山折り線１７が潰れ、その効果が低下するという問題もある。
そこで、ノズル部にエンボス加工等によって線状の膨らみ部を形成した袋状容器が提案されている（例えば、特許文献１−２参照。）。
【０００９】
【特許文献１】特開平１１−０１１４９８号公報（第３頁、第１図）
【特許文献２】特開２０００−３４３６０３号公報（第５頁、第１図）
【発明の開示】
【発明が解決しようとする課題】
【００１０】
しかしながら、ノズル部に潰れにくい膨らみ部を形成した袋状容器では、箱詰め後に、箱詰め前と同様の注出性能を維持することができない。
さらに、このようにノズル部に膨らみ部を形成すると、ノズル部が嵩張って、輸送効率等が悪くなるおそれがあった。
【００１１】
本発明は、上記の事情にかんがみなされたものであり、袋状容器内の内容物をボトル容器等に移し替える際、注出口を山折り状に拡開して内容物の注出を行うものでありながら、箱詰め後であっても、箱詰め前とほぼ同様の注出性能を維持することができ、また、ノズル部に膨らみ部を形成するものに比べ、嵩張らないものとし、輸送効率を高めて搬送コストの削減を図ることができる注出機能付き袋状容器の提供を目的とする。
【課題を解決するための手段】
【００１２】
上記目的を達成するため本発明の注出機能付き袋状容器は、表裏の軟包材から形成される袋状容器の注出口近傍に、ヒートシールによりノズル部を形成し、このノズル部を拡開して内容物の注出を行う注出機能付き袋状容器であって、前記ノズル部を形成する表側の軟包材及び／又は裏側の軟包材が、前記ノズル部の中心線にほぼ平行に山折り状につままれ、かつ、その頂部にヒートシールが施されたつまみ融着部を少なくとも一つ備える構成としてある。
【００１３】
注出機能付き袋状容器をこのように構成すれば、袋状容器内の内容物をボトル容器等に移し替える際、注出口を山折り状に拡開して内容物を迅速かつ容易に注出することが可能になる。
しかも、注出口の山折りをガイドするつまみ融着部は、頂部にヒートシールが施され、優れた変形性を具備するため、箱詰め時に圧縮されても使用時には復元する。これにより、箱詰め後であっても、箱詰め前とほぼ同様の注出性能を維持することができる。
また、つまみ融着部を形成したノズル部は、膨らみ部を形成したノズル部に比べて嵩張らないため、輸送効率を高めて搬送コストを削減することができる。
【００１４】
また、本発明の注出機能付き袋状容器は、前記つまみ融着部が、前記ノズル部の中心線にほぼ平行に点状に形成される構成とすることができる。
注出機能付き袋状容器をこのように構成すれば、最小限のつまみシール加工によって、本発明の効果が得られる。
【００１６】
そして、本発明の注出機能付き袋状容器は、前記つまみ融着部が、前記ノズル部の中心線にほぼ平行に不連続状に複数形成される構成としてある。
注出機能付き袋状容器をこのように構成すれば、ノズル部を山折り状に拡開することが容易になるため、注出容易性をさらに高めることができる。しかも、ノズル部の開封位置が基部側にずれても、ノズル部につまみ融着部が残るため、本発明による利点を失うことがない。
【００１７】
また、本発明の注出機能付き袋状容器は、前記ノズル部の基部近傍に、表裏の軟包材を接着する融着部が形成される構成としてある。
注出機能付き袋状容器をこのように構成すれば、ノズル基部の膨らみを抑制し、注出口に作用する閉じる方向の付勢力を小さくすることができる。これにより、注出口を正方形に近づけて、内容物の流出量を増やし、注出時間をさらに短縮することができる。
【００１８】
また、本発明の注出機能付き袋状容器は、前記融着部が、前記ノズル部の中心線を基準とし、その両側に形成される構成としてある。
注出機能付き袋状容器をこのように構成すれば、ノズル基部の膨らみを均等に抑制しつつ、両側の融着部間に内容物の注出経路を確保することができる。また、両側の融着部を両手の指で表裏から挟み、両側の融着部を近づける方向に力を入れると、その力がノズル部を拡開させる方向に作用するので、内容物の注出がさらに容易になるだけでなく、内容物の注出量を容易に調節することが可能になる。
【発明の効果】
【００１９】
以上のような本発明によれば、袋状容器内の内容物をボトル容器等に移し替える際、注出口を山折り状に拡開して内容物の注出を行うものでありながら、箱詰め後であっても、箱詰め前とほぼ同様の注出性能を維持することができ、また、ノズル部に膨らみ部を形成するものに比べ、嵩張らないものとし、輸送効率を高めて搬送コストの削減を図ることができる。
【発明を実施するための最良の形態】
【００２０】
以下、本発明の実施形態について、図面を参照して説明する。
図１（ａ）は、注出機能付き袋状容器の主要部を示す部分拡大平面図、図１（ｂ）は、図１（ａ）のII−II方向拡大断面図、図１（ｃ）は、図１（ａ）のIII−III方向拡大断面図である。なお、以下の説明においては、図６及び図７を参照しながら説明した従来の袋状容器１０と同一部位、同一部材には同一の符号を付し、詳しい説明は省略する。
【００２１】
本発明の袋状容器に使用する軟包材の材料としては特に制限はない。
軟包材を構成するのに適した樹脂材料としては、例えば結晶性ポリプロピレン、結晶性プロピレン−エチレン共重合体、結晶性ポリブテン−１、結晶性ポリ４−メチルペンテン−１、低−、中−、或いは高密度ポリエチレン、エチレン−酢酸ビニル共重合体（ＥＶＡ）、エチレン−アクリル酸エチル共重合体（ＥＥＡ）、イオン架橋オレフィン共重合体（アイオノマー）等のポリオレフィン類；ポリスチレン、スチレン−ブタジエン共重合体等の芳香族ビニル共重合体；ポリ塩化ビニル、塩化ビニリデン樹脂等のハロゲン化ビニル重合体；アクリロニトリル−スチレン共重合体、アクリロニトリル−スチレン−ブタジエン共重合体の如きニトリル重合体；ナイロン６、ナイロン６６、パラまたはメタキシリレンアジパミドの如きポリアミド類；ポリエチレンテレフタレート、ポリテトラメチレンテレフタレート等のポリエステル類；各種ポリカーボネート；ポリオキシメチレン等のポリアセタール類；生分解性樹脂等の熱可塑性樹脂等を挙げることができる。これらの材料からなる軟包材は、未延伸、一軸延伸、あるいは二軸延伸して用いられる。
【００２２】
また、本発明の袋状容器に使用する軟包材は、これらの軟包材を単層で、或いは、二種以上を積層して構成することができ、また、これらの軟包材の一種、あるいは、二種以上と、アルミニウム等の金属箔、金属又は金属酸化物の蒸着フィルム、紙、セロファン等を貼合わせて構成することもできる。好ましい軟包材としては、例えば、延伸ナイロンフィルムを外層とし、低密度ポリエチレン、ポリプロピレン等のポリオレフィンフィルムを内層とする二層構成、延伸ポリエステルフィルムを外層とし、ポリオレフィンフィルムを内層とする二層構成、及びこれらの内、外層フィルム間にアルミニウム等の金属箔を積層した三層構成のフィルム等が挙げられ、これらの積層フィルムの製造に際しては、各層間に必要に応じて接着剤、アンカー剤を介在させることもできる。
【００２３】
そして、上記軟包材の層構成は、袋状容器に充填する内容物の性状に応じて選択され、例えば、詰替洗剤用の袋状容器のように低コストが要求される場合は、二層構成の積層フィルムを使用し、調味料の袋状容器のように保存性が要求される場合は、アルミニウム箔を含む三層構成以上の積層フィルムを使用すれば良い。
【００２４】
図１（ａ）に示すように、本実施形態の注出機能付き袋状容器１は、図６及び図７に示した従来例と同様に、斜め上方に突出するノズル部１６が形成され、ノズル部１６の先端部分１９を切取り線１８に沿って切り取ることにより、内容物を注出する注出口１６ａが形成される。そして、このノズル部１６を、ボトル容器の口部に挿入すると、袋状容器１０内の内容物をボトル容器に移し替えることが可能になる。
なお、本明細書では、ノズル部１６を袋状容器１０の角部に設けた態様で説明するが、ノズル部１６の位置は容器角部に限定されるものではなく、例えば、ノズル部１６をトップシール１５の部分に設けることもできる。
【００２５】
ノズル部１６を形成する軟包材には、ノズル部１６の中心線（図１（ａ）に示す「ノズル中心線」参照）にほぼ平行に沿うように、つまみ融着部２が形成されている。つまみ融着部２は、軟包材をノズル部１６の中心線にほぼ平行に山折り状につまみ、その頂部にヒートシールを施して形成されるものである。このように形成されたつまみ融着部２は、袋状容器１の内容物をボトル容器等に移し替える際、注出口１６ａの山折り状の拡開を促すので、内容物を迅速かつ容易に注出することが可能になる。
【００２６】
また、つまみ融着部２は、山折り頂部がヒートシールされるので、単に山折り線をプレス加工したものに比べ、優れた保形性を具備する。例えば、袋状容器１を積み重ね状に箱詰めしても、その圧縮力でつまみ融着部２が潰れることはない。これにより、箱詰め後であっても、箱詰め前とほぼ同様の注出性能を維持することが可能になる。
また、積み重ね時におけるつまみ融着部２の突出範囲及び突出量は、きわめて小さいものであり、膨らみ部を形成した従来のノズル部のように嵩張ることがない。これにより、輸送効率を高めて、搬送コストを削減することが可能になる。
【００２７】
つまみ融着部２は、ノズル部１６を形成する軟包材の表裏いずれか一方に形成してもよいが、表裏双方の軟包材に形成することが好ましい。このようにつまみ融着部２を形成すると、注出口１６ａの開口形状が正方形に近づき、内容物を短時間で注出することが可能になる。
また、つまみ融着部２の形状は、図１（ａ）に示すものに限定されない。図１（ａ）に示すつまみ融着部２は、注出口１６ａからノズル基部１６ｂに至る線状であるが、図２に示すような形状としてもよい。図１（ａ）に示すように、ノズル部１６に線状のつまみ融着部２を形成した場合は、ノズル部１６を広範囲で山折り状に拡開することができるため、注出容易性をさらに高めることができる。また、ノズル部１６の開封位置が基部側にずれても、ノズル部１６につまみ融着部２が残り、本発明の効果を失わないという利点がある。
【００２８】
図２（ａ）及び（ｂ）は、つまみ融着部の他例を示す拡大平面図である。
図２（ａ）に示すように、つまみ融着部２は、ノズル部１６の中心線にほぼ平行に不連続状に複数形成されるものであってもよい。このようにつまみ融着部２を形成しても、ノズル部１６を広範囲で山折り状に拡開することができる。また、図１（ａ）に示すものと同様、ノズル部１６の開封位置が基部側にずれても、ノズル部１６につまみ融着部２が残り、本発明による利点を失うことがない。
また、図２（ｂ）に示すように、つまみ融着部２は、ノズル部１６の中心線にほぼ平行に点状に形成されるものであってもよい。このようにつまみ融着部２を形成した場合は、最小限のつまみシール加工によって、本発明の効果を得ることができる。
【００２９】
図３は、つまみ融着部の加工例を示す説明図である。
つまみ融着部２は、例えば、図３に示すような加工装置を用いて形成される。この図に示される加工装置は、横方向に並ぶ一対のつまみ融着加工具３と、その下方に配置される挿入具４とを備える。
つまみ融着加工具３は、軟包材に適したヒートシール温度まで加熱可能なプレス型であり、いずれも左右移動自在に支持されている。そして、左右のつまみ融着加工具３は、その間隙に軟包材のつまみシール加工予定部が供給されると、これを山折り状につまむように近接方向にプレス動作すると共に、山折り頂部を加熱する。これにより、軟包材のつまみ融着部２に、山折れ頂部がヒートシールされたつまみ融着部２を形成することが可能になる。
【００３０】
挿入具４は、つまみ融着加工具３の間隙に軟包材を供給する工具であり、上下動自在に支持されている。軟包材は、挿入具４の上方を左右方向に搬送されており、所定のタイミングで挿入具４が上昇動作される。挿入具４が上昇すると、挿入具４に形成される凸部によって、軟包材が前記間隙に挿入状に供給される。また、挿入具４は、つまみ融着加工具３がプレス動作する前に下降動作される。
なお、前記間隙に軟包材を供給する方法は、上記の方法に限定されない。例えば、前記間隙を減圧して、軟包材を吸引してもよいし、逆に、軟包材の下方空間を加圧して、軟包材を送り込んでもよい。
【００３１】
図１（ａ）及び（ｃ）に示すように、ノズル部１６の基部近傍には、表裏の軟包材を接着する融着部５が形成されている。この融着部５は、重合した軟包材を表裏両面から部分的に加熱することにより形成される。また、サイドシール１３、ボトムシール１４、トップシール１５等を施す際に、融着部５を同時に形成することが好ましい。
【００３２】
融着部５は、袋状容器１から内容物を取り出す際に、袋状容器１のノズル基部１６ｂが必要以上に外側に変形しないように抑制することにより、ノズル部１６の先端側に形成される注出口１６ａが閉じないようにするものである。したがって、このような作用を奏することができるのであれば、融着部５はノズル部１６の片側に設けるものとしてもよいし、両側に設けるのものとしてもよい。本実施形態では、二つの融着部５を、ノズル部１６の中心線を基準とし、その両側に左右対称形に形成している。これにより、ノズル基部１６ｂの膨らみを均等に抑制しつつ、両側の融着部５間に内容物の注出経路を確保することが可能になる。また、両側の融着部５を両手の指で表裏から挟み、両側の融着部５を近づける方向に力を入れると、その力がノズル部１６を拡開させる方向に作用するので、内容物の注出がさらに容易になるだけでなく、内容物の注出量を容易に調節できるという利点がある。
【００３３】
また、融着部５は、図１に示すように点状であってもよいし、ある程度の幅や長さを有するものであってもよい。
さらに、融着部５とサイドシール１３との間及び融着部５とトップシール１５との間には、隙間を形成することが好ましい。このようにすると、融着部５とサイドシール１３との隙間、又は融着部５とトップシール１５との隙間をとおって、内容物がノズル部１６に流入するので、内容物が融着部５の部分に残留するという不都合を防止することができる。
【００３４】
図４は、内容物を注出する際の注出口の状態を示すノズル部の拡大斜視図である。
この図に示すように、先端部分１９を切取り線１８に沿って切り取って注出口１６ａを形成し、袋状容器１を傾けて内容物をノズル部１６に送ると、ノズル部１６を形成する表裏の軟包材がつまみ融着部２に沿って山折り状に拡開し、注出口１６ａが正方形に近い形になる。これにより、十分な注出断面積を確保し、迅速かつ容易に内容物を注出することが可能になる。
また、内容物によってノズル基部１６ｂの近傍が膨らむと、注出口１６ａを閉じる方向に付勢力が作用する可能性があるが、ノズル基部１６ｂには、表裏の軟包材を接着する融着部５が形成され、この融着部５によってノズル基部１６ｂの膨らみが抑制されるので、注出口１６ａに作用する閉じる方向の付勢力を小さくし、注出口１６ａの拡開状態を保つことができる。
ここで、ノズル基部１６ｂとは、ノズル部１６の注出口１６ａが拡開することにより折り曲げ変形するノズルの根元部分を指す。
【００３５】
上記のように構成された本実施形態の袋状容器１によれば、表裏の軟包材から形成される袋状容器１の注出口近傍に、ヒートシールによりノズル部１６を形成し、このノズル部１６を拡開して内容物の注出を行うにあたり、ノズル部１６を形成する表側の軟包材及び／又は裏側の軟包材に、ノズル部１６の中心線にほぼ平行に山折り状につままれ、かつ、その頂部にヒートシールが施されたつまみ融着部２を形成しているため、袋状容器１の内容物をボトル容器等に移し替える際、注出口１６ａを山折り状に拡開して内容物を迅速かつ容易に注出することができる。
【００３６】
しかも、注出口１６ａの山折りをガイドするつまみ融着部２を設けた袋状容器は優れた変形性を具備するため、箱詰め時に圧縮されても、使用時に復元する。これにより、箱詰め後であっても、箱詰め前とほぼ同様の注出性能を維持することができる。
また、つまみ融着部２を形成したノズル部１６を有する袋状容器は、エンボス加工により膨らみ部を形成したノズル部を有する袋状容器に較べて、より多数の容器を積み重ねて収容できるため、輸送効率を高めて搬送コストを削減することができる。
【００３７】
また、つまみ融着部２を、ノズル部１６の中心線にほぼ平行に線状に形成した場合は、ノズル部１６を山折り状に拡開することが容易になるため、注出容易性をさらに高めることができる。しかも、ノズル部１６の開封位置が基部側にずれても、ノズル部１６につまみ融着部２が残るため、本発明による利点を失うことがない。
また、つまみ融着部２を、ノズル部１６の中心線にほぼ平行に不連続状に複数形成した場合も、ほぼ同様の効果が得られる。
また、つまみ融着部２を、ノズル部１６の中心線にほぼ平行に点状に形成した場合は、最小限のつまみシール加工によって、本発明の効果が得られるという利点がある。
【００３８】
また、ノズル部１６の基部近傍には、表裏の軟包材を接着する融着部５が形成されているため、ノズル基部１６ｂの膨らみを抑制し、注出口１６ａに作用する閉じる方向の付勢力を小さくすることができる。これにより、注出口１６ａを正方形に近づけて、内容物の流出量を増やし、注出時間をさらに短縮することができる。
【００３９】
また、融着部５を、ノズル部１６の中心線を基準とし、その両側に形成するようにした場合は、ノズル基部１６ｂの膨らみを均等に抑制しつつ、両側の融着部５間に内容物の注出経路を確保することができる。
また、両側の融着部５を両手の指で表裏から挟み、両側の融着部５を近づける方向に力を入れると、その力がノズル部１６を拡開させる方向に作用するので、内容物の注出がさらに容易になるだけでなく、内容物の注出量を容易に調節することが可能になる。
【００４０】
本発明の好適な実施形態について説明したが、本発明は上記の実施形態により限定されるものではない。例えば、上記の説明では、袋状容器１の上方の角部にノズル部１６を設けているが、このノズル部１６は、袋状容器１の上方の中央部に設けるようにしても良い。
さらに、ノズル部１６の形状や寸法は、充填される内容物の性状、袋状容器１の寸法等に応じて、適宜に設定することができる。
また、つまみ融着部２は、上記の実施形態では容器両面のノズル中心線上に形成していたが、これ以外の態様で設けることもできる。図５に示すように、例えば、容器片面側のみにつまみ融着部２を形成することもでき（同図（ａ）参照）、また、ノズル中心線上からずれた位置に、ノズル中心線とほぼ平行につまみ融着部２を形成することもできる（同図（ｂ）参照）。また、ノズル中心線とほぼ平行な線上に複数のつまみ融着部２を形成することもできる（同図（ｃ）参照）。
【産業上の利用可能性】
【００４１】
以上のように、本発明によれば、袋状容器内の内容物をボトル容器等に移し替える際、注出口を山折り状に拡開して内容物の注出を行うものでありながら、箱詰め後であっても、箱詰め前とほぼ同様の注出性能を維持することができ、また、ノズル部に膨らみ部を形成するものに比べ、嵩張らないものとし、輸送効率を高めて搬送コストの削減を図ることができる。
【図面の簡単な説明】
【００４２】
【図１】（ａ）は、注出機能付き袋状容器の主要部を示す部分拡大平面図、（ｂ）は、（ａ）のII−II方向拡大断面図、（ｃ）は、（ａ）のIII−III方向拡大断面図である。
【図２】（ａ）及び（ｂ）は、つまみ融着部の他例を示す拡大平面図である。
【図３】つまみ融着部の加工例を示す説明図である。
【図４】内容物を注出する際の注出口の状態を示すノズル部の拡大斜視図である。
【図５】本発明のノズル部の注出口形状の変更例を示す拡大断面図である。
【図６】自立性袋状容器の従来例を示す平面図である。
【図７】（ａ）は、従来例における注出時の注出口を示す部分拡大斜視図、（ｂ）は、（ａ）のＩ−Ｉ方向断面図である。
【符号の説明】
【００４３】
１  袋状容器
２  つまみ融着部
３  つまみ融着加工具
４  挿入具
５  融着部
１０  袋状容器
１１  胴部
１２  底部
１３  サイドシール
１４  ボトムシール
１５  トップシール
１６  ノズル部
１６ａ  注出口
１６ｂ  ノズル基部
１７  山折り部
１８  切り取り線
１９  先端部分
【図１】
0004659349.tif 000002
【図２】
0004659349.tif 000003
【図３】
0004659349.tif 000004
【図４】
0004659349.tif 000005
【図５】
0004659349.tif 000006
【図６】
0004659349.tif 000007
【図７】
0004659349.tif 000008